(57)【要約】【課題】本発明の目的は、術中でも術者が直接に表示装置等の医療機器の設定等の操作を可能にした医療用滅菌状態保持用ドレープを提供することにある。【解決手段】本発明は、可撓性を有する透明部材からなる滅菌フィルム２と、この滅菌フィルム２の清潔面３に貼り付けられ、清潔面３の清潔を保持する清潔部保持フィルム４と、上記滅菌フィルム２の裏面を医療機器表面と対向させて該医療機器に上記滅菌フィルム２を固定する糊面５とを具備した医療機器用滅菌状態保持用ドレープ１である。【選択図】　　図１
2004097533.tif 000002
【特許請求の範囲】
【請求項１】
可撓性を有する透明部材からなり、一方の面を第１の面とし、他方の面を第２の面とした滅菌フィルムと、
上記滅菌フィルムの第１の面に貼り付けられ、該第１の面から剥離可能で上記滅菌フィルムの第１の面の清潔を保持する清潔部保持部材と、
上記滅菌フィルムの第２の面を医療機器表面と対向させて該医療機器に上記滅菌フィルムを固定可能な固定手段と
を具備したことを特徴とする医療機器用滅菌状態保持部材。
【請求項２】
上記固定手段は、上記医療機器表面に粘着する粘着部を有する請求項１に記載の医療機器用滅菌状態保持部材。
【請求項３】
上記固定手段は、上記医療機器へ機械的に固定する機械的固定部を有する請求項１または請求項２に記載の医療機器用滅菌状態保持部材。
【発明の詳細な説明】
【０００１】
【発明の属する技術分野】
本発明は、医療機器に使用され、医療機器の特定表面の滅菌状態を維持する滅菌状態保持部材に関する。
【０００２】
【従来の技術】
近年、ＣＲＴと画質が遜色のない液晶モニター（ＬＣＤ）が広く普及しつつある。液晶モニターはＣＲＴと比べて薄型で軽量なものであるため、支持アームの先端に取り付けて、液晶モニターの設置する位置や向きを自由に変えられる。この種の手術用モニター装置では術者が術中において液晶モニターの位置や向きを変える際、液晶モニターに対し着脱自在に設けられた滅菌可能なグリップを握って所望の位置や向きに液晶モニターを動かすことができるようになっている。
【０００３】
しかし、この液晶モニター自体は滅菌不可能なので、術者がモニターのフロントパネルに設けられている電源のＯＮ／ＯＦＦ操作、モニターの明るさや色調の調整または映像信号の入力の切り替えなどの操作を行う場合には液晶モニターからアームにかけてそれらをドレープで覆う必要がある。この際に使用するドレープは手術用顕微鏡用のドレープとして提案されている、例えば、特許第２，９８８，９８１号公報に記載されたものが使用されてきた。
【０００４】
また、内視鏡用撮像装置を構成している、映像処理を行う回路を搭載しているカメラコントロールユニット（以下、ＣＣＵと呼ぶ）も滅菌が不可能なものである。このため、ＣＣＵのフロントパネルにある明るさやホワイトバランスといったスイッチを術者が術中に直接触れて操作することができなかった。そこで、上記設定操作は不潔域に居る人に依頼するか、ＣＣＵに電気的に接続される、撮像手段であるカメラヘッドに設けられたスイッチを通して行うしか方法がなかった。
【０００５】
【発明が解決しようとする課題】
上記ドレープを流用して、モニター全体を清潔に覆うことは一応できるが、画像表示部分もドレープに覆われてしまうため、視認性が落ち、使用上不都合なものであった。また、電源スイッチや各調整スイッチや切替えスイッチを操作する際、ドレープが固定されている訳ではないので、膜状のドレープが滑って動いてしまう等、スイッチ類の操作性を落とす。
【０００６】
このように従来のドレープによりモニター全体を覆って清潔に保つ方式は画像表示部の視認性が良くない上、各種スイッチ類の操作性を落とすものだった。　また、内視鏡用撮像装置、光源装置といった医療機器についても、そのフロントパネルを術中に術者が操作可能にしたものはなかった。
【０００７】
本発明は上記課題に着目してなされたものであり、その目的とするところは、術中でも術者が直接に医療機器の設定等の操作を可能にした医療用滅菌状態保持部材を提供することにある。
【０００８】
【課題を解決するための手段】
請求項１に係る発明は、可撓性を有する透明部材からなり、一方の面を第１の面とし、他方の面を第２の面とした滅菌フィルムと、
上記滅菌フィルムの第１の面に貼り付けられ、該第１の面から剥離可能で上記滅菌フィルムの第１の面の清潔を保持する清潔部保持部材と、
上記滅菌フィルムの第２の面を医療機器表面と対向させて該医療機器に上記滅菌フィルムを固定可能な固定手段とを具備したことを特徴とする医療機器用滅菌状態保持部材である。
請求項２に係る発明は、上記固定手段が、上記医療機器表面に粘着する粘着部を有する、請求項１に記載の医療機器用滅菌状態保持部材である。
請求項３に係る発明は、上記固定手段が、上記医療機器へ機械的に固定する機械的固定部を有する、請求項１または請求項２に記載の医療機器用滅菌状態保持部材である。
【０００９】
本発明の医療機器用滅菌状態保持部材では、滅菌フィルムの第２の面を医療機器に対向させて、固定手段により、滅菌フィルムを医療機器に固定する。次に、清潔保持部材を剥がし、滅菌フィルムの清潔である第１の面を露出させる。
【００１０】
【発明の実施の形態】
（第１の実施形態）
図１乃至図４を参照して本発明の第１の実施形態に係る医療用ドレープについて説明する。
【００１１】
図１は、本実施形態の医療用ドレープ１の構成を示す。本実施形態の医療用ドレープ１は、可撓性のある透明な滅菌フィルム２と、この滅菌フィルム２が有する滅菌済みの清潔面（第１の面）３に貼り付けされ、その清潔面３を清潔に保持する清潔部保持部材としての清潔保持フィルム４とから構成される。清潔面３の反対側に位置する滅菌フィルム２の表面（第２の面）は接着剤としての糊が塗布してある糊面５となっている。この糊面５は滅菌フィルム２の第２の面を医療機器表面と対向させて該医療機器に上記滅菌フィルム２を固定する固定手段を構成する。
【００１２】
図１に示すように、本実施形態の医療用ドレープ１は、使用前はロール状に巻いて保管されており、清潔保持フィルム４の清潔面３と向かい合わせになる面とは反対側の面はいわゆるセロテープ（商品名）のように糊面５と接するが、剥がしてもべたつかないようになっている。
【００１３】
図２は、後述するモニター支持アーム７に取り付けられる液晶モニター６を示す。液晶モニター６は、本体８と、この本体８の前面に設けられた内視鏡用撮像装置等の撮像画を表示する表示部９と、同じく本体８の前面に設けられ、上記表示部９の画像のコントラストや明るさを調整する設定スイッチ１０や、液晶モニター６の電源をＯＮ／ＯＦＦ操作する電源スイッチ１１等を有する操作部１２とを備えている。
【００１４】
上記液晶モニター６は、図４に示すように、一端を手術室の天井等に固定されたモニター支持アーム７の他端に本体８を取り付けて移動自在に支持されている。また、モニター支持アーム７には着脱可能でかつ滅菌が可能な操作グリップ１３が設けられている。術者はこの操作グリップ１３を把持して液晶モニター６全体を移動して任意の位置に任意の向きに配置することができるようになっている。操作グリップ１３は予め滅菌してモニター支持アーム７に取り付けられている。
【００１５】
次に、本実施形態の医療用ドレープ１の手術室での使用方法について説明する。まず、図２に示すように、上記医療用ドレープ１の、滅菌フィルム２の糊面５を上記操作部１２に向けて貼り付ける。操作部１２全体にわたり滅菌フィルム２の貼り付けが終ったら余分な部分を多少残して滅菌フィルム２をはさみ１４等で切る。残りの医療用ドレープ１は保管しておく。
【００１６】
上記液晶モニター６の操作部１２に医療用ドレープ１の貼り付けが終ったら図３に示すように、医療用ドレープ１の端部から順に、滅菌フィルム２から清潔保持フィルム４を引き剥がす。滅菌フィルム２は操作部１２に貼り付いて残り、滅菌フィルム２の清潔面３が露出する。
【００１７】
上記液晶モニター６は、図４に示すように、一端を手術室の天井に固定されたモニター支持アーム７の先に取り付けられており、術者は、モニター支持アーム７に対して着脱可能でかつ滅菌が可能な操作グリップ１３を把持して、液晶モニター６を移動して任意の位置に配置する。ここで、操作グリップ１３は予め滅菌して取り付けられているため、術者は操作グリップ１３を握って直接に操作できる。
【００１８】
また、液晶モニター６の明るさやコントラストを変更したい場合、清潔面３を押すことによって設定スイッチ１０を操作する。清潔面３は滅菌状態に維持されているため、術者が直接に触れて操作できる。同じ要領で電源スイッチ１１も直接に触れて操作できることになる。
【００１９】
本実施形態の滅菌状態保持部材としての医療用ドレープ１を使用すれば、モニターやＣＣＵまたは光源装置といった滅菌不可能な機器でも医療用ドレープ１を貼り付けた個所は術中でも術者が直接に触れて操作できるようになるので、機器の操作性が向上する。モニターを術者に近づけ得るだけでなく、その設定も術中に変更することができるので、使い勝手が良くなるなど、使用上のメリットも増大する。
【００２０】
尚、本発明の医療用ドレープは、他の光源や電気メス等の医療機器のフロントパネルや、医療機器の設定が変更可能なタッチパネル等に貼り付けて使用しても、同じ効果が得られる。
【００２１】
（第２の実施形態）
図５乃至図７を参照して本発明の第２の実施形態に係る医療用ドレープについて説明する。以下に説明する第２実施形態では前述した第１実施形態と同様な機能を果たす部分には同一の符号を付して重複する説明を省略する。
【００２２】
図５は本実施形態の医療用ドレープ２１の構成を示す側面図である。本実施形態の医療用ドレープ２１は、例えば、後述するカメラコントロールユニット（以下ＣＣＵと呼ぶ）２２の本体２３を上下から挟み込んで本体２３に固定するためのＣＣＵ固定枠２４、清潔面３と糊面５を有する滅菌フィルム２、清潔面（第１の面）３に貼り付けされ、その清潔面３を清潔に維持する清潔保持フィルム４、上記糊面（第２の面）５を保護する保護シート２５を備える。ＣＣＵ固定枠２４は図６に示すように、上枠２４ａと下枠２４ｂと中間連結枠２４ｃにより所謂コの字状に形成されている。上枠２４ａと下枠２４ｂは同じ向きの端部を中間連結枠２４ｃによって連結され、上枠２４ａと下枠２４ｂを弾性的に広げることができるようになっている。
【００２３】
上記ＣＣＵ２２のフロントパネル２６には、電源スイッチ２７や、内視鏡へ接続する図示しないカメラヘッドが接続されるカメラコネクター２８、カメラヘッドの画質やシャッタースピードなどを調節する調節スイッチ２９が設けられている。
【００２４】
次に、本実施形態における医療用ドレープ２１の手術室での使用方法について説明する。医療用ドレープ２１をＣＣＵ２２のフロントパネル２６に固定する場合について述べる。まず、図６に示すように、医療用ドレープ２１をフロントパネル２６に取り付ける前に糊面保護シート２５を滅菌フィルム２から引き剥がし、糊面５を露出させる。
【００２５】
この後に、ＣＣＵ２２のフロントパネル２６に合わせてＣＣＵ２２の本体２３の上下面をＣＣＵ固定枠２４の上枠２４ａと下枠２４ｂで挟むように固定枠２４をＣＣＵ２２の本体２３に嵌め込み固定する。このとき、滅菌フィルム２の糊面５はＣＣＵ２２のフロントパネル２６と接触し、滅菌フィルム２はフロントパネル２６に貼り付けられる。このようにして滅菌フィルム２をＣＣＵ２２のフロントパネル２６に固定した後、清潔保持フィルム４を引き剥がし、清潔面３を露出させる。
【００２６】
このときの、ＣＣＵ２２のフロントパネル２６の正面の状態を図７に示す。カメラヘッドを電気的に接続するためのカメラコネクター２８の部分には滅菌フィルム２はなく、一方、電源スイッチ２７や調節スイッチ２９が配置された操作領域の部分は滅菌フィルム２で覆われ、清潔面３が露出している。これにより、術中に術者が電源スイッチ２７や調節スイッチ２９を直接に触れて操作することができる。一方、カメラヘッドをカメラコネクター２８に接続することは、滅菌フィルム２に邪魔されず、行なうことができる。
【００２７】
本実施形態によれば、機器に合った固定枠２４を用いることにより、滅菌フィルム２が必要なところと滅菌フィルム２が不要なところとを的確かつ簡便に分けて滅菌フィルム２を貼り付けられるので、滅菌フィルム２のセッティングが容易になる。
【００２８】
また、本実施形態では固定枠２４を固定手段とするため、糊面保護シート２５および糊面５のない（糊を塗布していない）構成でも滅菌フィルム２を医療機器に取り付けることができ、第１の実施形態と同様の効果が得られる。
【００２９】
【発明の効果】
以上説明したように本発明の医療用ドレープはモニターやＣＣＵといった滅菌不可能な医療機器でも滅菌状態保持部材を取り付けた個所は、術中でも術者が直接に触れて操作が可能になるので、操作性が向上する。また、滅菌状態保持部材を取り付ける際、その医療機器に合った固定枠を用いる場合には滅菌フィルムの必要なところと不要なところとを的確かつ簡便に分けて貼り付け得るので、滅菌フィルムのセッティングが容易になる。
【図面の簡単な説明】
【図１】本発明の第１の実施形態に係る医療用ドレープの縦断面図。
【図２】本発明の第１の実施形態に係る医療用ドレープを液晶モニターの操作部に貼り付ける手順の説明図。
【図３】本発明の第１の実施形態に係る医療用ドレープを液晶モニターの操作部に貼り付ける手順の説明図。
【図４】本発明の第１の実施形態に係る医療用ドレープを貼り付けた液晶モニターの操作説明図。
【図５】本発明の第２の実施形態に係る医療用ドレープの縦断面図。
【図６】本発明の第２の実施形態に係る医療用ドレープをＣＣＵに貼り付ける手順の説明図。
【図７】本発明の第２の実施形態に係る医療用ドレープを貼り付けたＣＣＵ前面の正面図。
【符号の説明】
１…医療用ドレープ
２…滅菌フィルム
３…清潔面
４…清潔保持フィルム
５…糊面
６…液晶モニター
７…モニター支持アーム
８…本体
９…表示部
１０…設定スイッチ
１１…電源スイッチ
１２…操作部
【図１】
2004097533.tif 000003
【図２】
2004097533.tif 000004
【図３】
2004097533.tif 000005
【図４】
2004097533.tif 000006
【図５】
2004097533.tif 000007
【図６】
2004097533.tif 000008
【図７】
2004097533.tif 000009